(57)【要約】【課題】スライドレールアセンブリの収納または延伸を簡便に行うことができるラックに用いるスライドレールアセンブリを提供する。【解決手段】スライドレールアセンブリ２は、第１の軌道部材１０と、第１の軌道部材１０と摺動可能に接続され、略垂直に設けられたベース部２４を有する第２の軌道部材２０と、第１の軌道部材１０の第１の端部と強固に接続され、第２の軌道部材２０のベース部２４に対応し、開孔部３８が設けられた第１の支持部材３２を有する第１のブラケット３０と、第２の軌道部材２０のベース部２４へ枢着され、第１のブラケット３０の開孔部３８に対応し、係合面４４を有する係合部材４０と、係合部材４０に接続され、係合部材４０の変位操作が可能な操作部材６０と、係合部材４０へ弾性力を付与する弾性部材７０とを備える。【選択図】図１
0003153485.tif 000002
【実用新案登録請求の範囲】
【請求項１】
複数の貫通孔がそれぞれ設けられた少なくとも２つの枠体を備えるラックに用いるスライドレールアセンブリであって、前記スライドレールアセンブリは、
第１の端部と、前記第１の端部に対応した第２の端部と、を有する第１の軌道部材と、
前記第１の軌道部材と摺動可能に接続され、略垂直に設けられたベース部を有する第２の軌道部材と、
前記第１の軌道部材の前記第１の端部と強固に接続され、前記第２の軌道部材の前記ベース部に対応し、開孔部が設けられた第１の支持部材を有する第１のブラケットと、
前記第２の軌道部材の前記ベース部へ枢着され、前記第１のブラケットの前記開孔部に対応し、係合面を有する係合部材と、
前記係合部材に接続され、前記係合部材の変位操作が可能な操作部材と、
前記係合部材へ弾性力を付与する弾性部材と、を備え、
前記ラックの前記枠体上へ前記第１のブラケットを装着した後、前記第１の軌道部材に前記第２の軌道部材を入れるとき、前記第１のブラケットの前記開孔部と、前記枠体の前記複数の貫通孔のうちの１つの貫通孔と、へ前記係合部材の係合部を貫設し、前記枠体の前記貫通孔の周囲の面部に、前記係合部材の前記係合面を当接させて固定することを特徴とする、ラックに用いるスライドレールアセンブリ。
【請求項２】
前記第１のブラケットは、前記枠体の前記複数の貫通孔のうちの２つの貫通孔に接続させることが可能な第１の接続部および第２の接続部を有することを特徴とする、請求項１に記載のラックに用いるスライドレールアセンブリ。
【請求項３】
前記係合面は平面であり、
前記係合部材は、前記係合面の縁部に隣接した案内面を有することを特徴とする、請求項１に記載のラックに用いるスライドレールアセンブリ。
【請求項４】
前記第１の軌道部材の前記第２の端部へ強固に接続され、前記枠体の前記複数の貫通孔のうちの２つの貫通孔に接続させることが可能な第１の接続部および第２の接続部を有する第２の支持部材を有する第２のブラケットをさらに備えることを特徴とする、請求項１に記載のラックに用いるスライドレールアセンブリ。
【請求項５】
前記ベース部は、前記第２の軌道部材の端部が延伸されて形成されることを特徴とする、請求項１に記載のラックに用いるスライドレールアセンブリ。
【請求項６】
第１の端部と、前記第１の端部に対応した第２の端部と、を有する第１の軌道部材と、
前記第１の軌道部材と摺動可能に接続され、略垂直に設けられたベース部を有する第２の軌道部材と、
前記第１の軌道部材の前記第１の端部と強固に接続され、前記第２の軌道部材の前記ベース部に対応し、開孔部が設けられた第１の支持部材を有する第１のブラケットと、
前記第２の軌道部材の前記ベース部へ枢着され、前記第１のブラケットの前記開孔部に対応し、係合面を有する係合部を有する係合部材と、
前記係合部材に接続され、前記係合部材の変位操作が可能な操作部材と、
前記係合部材へ弾性力を付与する弾性部材と、を備えることを特徴とする、スライドレールアセンブリ。
【請求項７】
前記第１の軌道部材の前記第２の端部へ強固に接続され、第１の接続部および第２の接続部を有する第２の支持部材を有する第２のブラケットをさらに備えることを特徴とする、請求項６に記載のラックに用いるスライドレールアセンブリ。
【請求項８】
前記係合面は平面であり、
前記係合部材は、前記係合面の縁部に隣接した案内面を有することを特徴とする、請求項６に記載のラックに用いるスライドレールアセンブリ。
【請求項９】
前記ベース部は、前記第２の軌道部材の端部を延伸して形成することを特徴とする、請求項６に記載のブラケット。
【請求項１０】
複数の貫通孔をそれぞれ有し、所定のサイズ空間のラックを構成する複数組の枠体と、
第１の端部と、前記第１の端部に対応した第２の端部とを有する第１の軌道部材と、略垂直に設けられたベース部を有し、前記第１の軌道部材と摺動可能に接続された第２の軌道部材と、前記第１の軌道部材の前記第１の端部および前記第２の端部へ強固に接続された第１のブラケットおよび第２のブラケットと、をそれぞれ有する複数組のスライドレールアセンブリと、
前記ベース部に枢着された係合部材をそれぞれ有する複数の係合アセンブリと、
前記スライドレールアセンブリとそれぞれ接続された対応した両側を有し、前記スライドレールアセンブリにより変位される少なくとも１つのシャーシと、を備え、
前記各スライドレールアセンブリの前記第１のブラケットおよび前記第２のブラケットは、前記ラックの各１組の前記枠体へそれぞれ装着され、
前記第１のブラケットは、開孔部が設けられ、前記ベース部に対応した第１の支持部材を有し、
前記係合部材は、前記第１のブラケットの前記開孔部に対応した係合部と、前記係合部材に接続され、前記係合部材の変位操作が可能な操作部材と、弾性力を付与する弾性部材と、を有し、
前記第１のブラケットの前記開孔部と、前記枠体の前記貫通孔と、へ前記係合部材の前記係合部を貫設し、前記枠体の前記貫通孔の周囲の面部へ前記係合部材の係合面を当接して固定させることを特徴とする、ラック装置。
【請求項１１】
前記第１のブラケットおよび前記第２のブラケットは、前記枠体の前記複数の貫通孔のうちの４つの貫通孔に接続することが可能な第１の接続部および第２の接続部を有することを特徴とする、請求項１０に記載のラック装置。
【請求項１２】
前記係合面は平面であり、
前記係合部材は、前記係合面の縁部に隣接した案内面を有することを特徴とする、請求項１０に記載のラック装置。
【考案の詳細な説明】
【技術分野】
【０００１】
本考案は、ラックに用いるスライドレールアセンブリに係り、特に、迅速にロックまたはリリースを行うことが可能なラックに用いるスライドレールアセンブリに関する。
【背景技術】
【０００２】
ラック（ｒａｃｋ）は、コンピュータのサーバを配置させるためによく用いられ、空間を有効に利用し、集中的な管理を簡便に行うことができる。そのため、ラックに配置させるコンピュータのサーバ数に応じてスライドレールを装着し、スライドレールとコンピュータサーバとの組み合わせにより、ラック上からコンピュータサーバを簡便に取り出してメンテナンス、交換、保守・点検などを行ったり、ラック内に入れて集中管理を行ったりしていた。
【０００３】
ラックに用いるスライドレールとしては、既に特許文献１が開示されている。特許文献１において、シャーシ（ｃｈａｓｓｉｓ）は、パネルに装着されたハンドル（ｈａｎｄｌｅ）と、保持面（ｒｅｔａｉｎｉｎｇ  ｓｕｒｆａｃｅ）が設けられた固定装置（ｓｅｃｕｒｉｎｇ  ｄｅｖｉｃｅ）と、を有する。固定装置は、ハンドルに接続され、保持面がハンドルに対して変位可能である。シャーシ保持デバイスは、ハンドルおよび固定装置に接続され、保持面によりラックと係合されて固定されるユーザインタフェースデバイス（ｕｓｅｒ  ｉｎｔｅｒｆａｃｅ  ｄｅｖｉｃｅ）をさらに含む。しかし、この特許文献１では、シャーシが押されてラックに入れられるときに、ハンドルの保持面とラックとを係合させるために、シャーシのパネルに装着されるハンドルの位置をラックに対応させ、上述の機構を利用してハンドルを設置する必要があった。さらに、特許文献１のハンドルは、態様およびシャーシのパネル上に装着させる位置が制限されていた。
【０００４】
特許文献２では、スライドレールの両端部にそれぞれ凸体が設けられ、ラックの支柱の貫通孔へこれら２つの凸体を貫設し、接続固定させていた。スライドレールは、ラックに対して変位可能なスライドレールと付属物（ｅｎｃｌｏｓｕｒｅ）とを接続固定し、付属物をラックの支柱に対して変位可能な咬合部材が接続され、付属物を押してラックに入れ、ラック上へ付属物（ｅｎｃｌｏｓｕｒｅ）を固定する場合、咬合部材とラックの支柱とを咬合させて固定させていた。
【０００５】
本考案者により出願された特許文献３では、第１の軌道部材および第２の軌道部材を含むスライドレールが開示されている。第１の軌道部材は、第２の軌道部材に対して変位可能であり、ラッチアセンブリを含む端部を有する。第２の軌道部材は、ラッチアセンブリに対して設けられたラッチ座により、ラッチアセンブリを係合させることができる。或いは、壁面上に装着されたラッチ座により、ラッチアセンブリを係合させることができる。
【０００６】
しかし、上述の従来技術では、シャーシを収納するときに、ラックへスライドレールを直接ロックしたりリリースしたりすることができなかった。
【先行技術文献】
【特許文献】
【０００７】
【特許文献１】アメリカ合衆国特許第６１８１５４９号明細書
【特許文献２】アメリカ合衆国特許第６３９８０４１号明細書
【特許文献３】アメリカ合衆国特許第６８８３８８４号明細書
【考案の概要】
【考案が解決しようとする課題】
【０００８】
本考案の目的は、ラックへスライドレールアセンブリを迅速にロックしたりリリースしたりし、スライドレールアセンブリの収納または延伸を簡便に行うことができるラックに用いるスライドレールアセンブリを提供することにある。
【課題を解決するための手段】
【０００９】
上記課題を解決するために、本考案の第１の形態によれば、複数の貫通孔がそれぞれ設けられた少なくとも２つの枠体を備えるラックに用いるスライドレールアセンブリであって、前記スライドレールアセンブリは、第１の端部と、前記第１の端部に対応した第２の端部と、を有する第１の軌道部材と、前記第１の軌道部材と摺動可能に接続され、略垂直に設けられたベース部を有する第２の軌道部材と、前記第１の軌道部材の前記第１の端部と強固に接続され、前記第２の軌道部材の前記ベース部に対応し、開孔部が設けられた第１の支持部材を有する第１のブラケットと、前記第２の軌道部材の前記ベース部へ枢着され、前記第１のブラケットの前記開孔部に対応し、係合面を有する係合部材と、前記係合部材に接続され、前記係合部材の変位操作が可能な操作部材と、前記係合部材へ弾性力を付与する弾性部材と、を備え、前記ラックの前記枠体上へ前記第１のブラケットを装着した後、前記第１の軌道部材に前記第２の軌道部材を入れるとき、前記第１のブラケットの前記開孔部と、前記枠体の前記複数の貫通孔のうちの１つの貫通孔と、へ前記係合部材の係合部を貫設し、前記枠体の前記貫通孔の周囲の面部に、前記係合部材の前記係合面を当接させて固定することを特徴とするラックに用いるスライドレールアセンブリが提供される。
【００１０】
前記第１のブラケットは、前記枠体の前記複数の貫通孔のうちの２つの貫通孔に接続させることが可能な第１の接続部および第２の接続部を有することが好ましい。
【００１１】
前記係合面は平面であり、前記係合部材は、前記係合面の縁部に隣接した案内面を有することが好ましい。
【００１２】
前記第１の軌道部材の前記第２の端部へ強固に接続され、前記枠体の前記複数の貫通孔のうちの２つの貫通孔に接続させることが可能な第１の接続部および第２の接続部を有する第２の支持部材を有する第２のブラケットをさらに備えることが好ましい。
【００１３】
前記ベース部は、前記第２の軌道部材の端部が延伸されて形成されることが好ましい。
【００１４】
本考案の第２の形態によれば、第１の端部と、前記第１の端部に対応した第２の端部と、を有する第１の軌道部材と、前記第１の軌道部材と摺動可能に接続され、略垂直に設けられたベース部を有する第２の軌道部材と、前記第１の軌道部材の前記第１の端部と強固に接続され、前記第２の軌道部材の前記ベース部に対応し、開孔部が設けられた第１の支持部材を有する第１のブラケットと、前記第２の軌道部材の前記ベース部へ枢着され、前記第１のブラケットの前記開孔部に対応し、係合面を有する係合部を有する係合部材と、前記係合部材に接続され、前記係合部材の変位操作が可能な操作部材と、前記係合部材へ弾性力を付与する弾性部材と、を備えることを特徴とするスライドレールアセンブリが提供される。
【００１５】
前記第１の軌道部材の前記第２の端部へ強固に接続され、第１の接続部および第２の接続部を有する第２の支持部材を有する第２のブラケットをさらに備えることが好ましい。
【００１６】
前記係合面は平面であり、前記係合部材は、前記係合面の縁部に隣接した案内面を有することが好ましい。
【００１７】
前記ベース部は、前記第２の軌道部材の端部を延伸して形成することが好ましい。
【００１８】
本考案の第３の形態によれば、複数の貫通孔をそれぞれ有し、所定のサイズ空間のラックを構成する複数組の枠体と、第１の端部と、前記第１の端部に対応した第２の端部とを有する第１の軌道部材と、略垂直に設けられたベース部を有し、前記第１の軌道部材と摺動可能に接続された第２の軌道部材と、前記第１の軌道部材の前記第１の端部および前記第２の端部へ強固に接続された第１のブラケットおよび第２のブラケットと、をそれぞれ有する複数組のスライドレールアセンブリと、前記ベース部に枢着された係合部材をそれぞれ有する複数の係合アセンブリと、前記スライドレールアセンブリとそれぞれ接続された対応した両側を有し、前記スライドレールアセンブリにより変位される少なくとも１つのシャーシと、を備え、前記各スライドレールアセンブリの前記第１のブラケットおよび前記第２のブラケットは、前記ラックの各１組の前記枠体へそれぞれ装着され、前記第１のブラケットは、開孔部が設けられ、前記ベース部に対応した第１の支持部材を有し、前記係合部材は、前記第１のブラケットの前記開孔部に対応した係合部と、前記係合部材に接続され、前記係合部材の変位操作が可能な操作部材と、弾性力を付与する弾性部材と、を有し、前記第１のブラケットの前記開孔部と、前記枠体の前記貫通孔と、へ前記係合部材の前記係合部を貫設し、前記枠体の前記貫通孔の周囲の面部へ前記係合部材の係合面を当接して固定させることを特徴とするラック装置が提供される。
【００１９】
前記第１のブラケットおよび前記第２のブラケットは、前記枠体の前記複数の貫通孔のうちの４つの貫通孔に接続することが可能な第１の接続部および第２の接続部を有することが好ましい。
【００２０】
前記係合面は平面であり、前記係合部材は、前記係合面の縁部に隣接した案内面を有することが好ましい。
【考案の効果】
【００２１】
本考案のラックに用いるスライドレールアセンブリは、ラックに対してスライドレールアセンブリを迅速にロックしたりリリースしたりし、スライドレールアセンブリの収納または延伸を簡便に行うことができる。
【図面の簡単な説明】
【００２２】
【図１】本考案の一実施形態によるスライドレールアセンブリを示す分解斜視図である。
【図２】本考案の一実施形態による係合アセンブリを組み立てるときの状態を示す斜視図である。
【図３】本考案の一実施形態によるスライドレールアセンブリを使用して組み立てるときの状態を示す斜視図である。
【図４】本考案の一実施形態によるスライドレールアセンブリを組み立てるときの状態を示す斜視図である。
【図５】本考案の一実施形態によるスライドレールアセンブリを係合させるときの状態を示す断面図である。
【図６】本考案の一実施形態によるスライドレールアセンブリを係合させるときの状態を示す断面図である。
【図７】本考案の一実施形態によるスライドレールアセンブリを外すときの状態を示す断面図である。
【図８】本考案の他の実施形態によるスライドレールアセンブリを用いるときの状態を示す断面図である。
【考案を実施するための形態】
【００２３】
以下、本考案の実施形態について図に基づいて説明する。なお、これによって本考案が限定されるものではない。
【００２４】
図１を参照する。図１は、本考案の一実施形態によるスライドレールアセンブリ２を示す分解斜視図である。このスライドレールアセンブリ２は、第１の軌道部材１０、第２の軌道部材２０、第１のブラケット３０、第２のブラケット３０ａおよび係合アセンブリ４を含む。
【００２５】
第１の軌道部材１０は、第１の端部と、第１の端部に対応した第２の端部と、を含む。
【００２６】
第２の軌道部材２０は、第１の軌道部材１０へ直接的または間接的に摺動可能に接続され、１組の枢着耳２６を含むベース部２４を有する。このベース部２４は、第２の軌道部材２０に対して略垂直に設けられている。本実施形態のベース部２４は、第２の軌道部材２０の端部２２が延伸して形成されている。第２の軌道部材２０は、第３の軌道部材１２を介して間接的に対応した第１の軌道部材１０と摺動可能に接続し、３軌道式のスライドレールアセンブリ２が構成されている。第２の軌道部材２０が、摺動可能に第１の軌道部材１０と直接接続されている場合、２軌道式のスライドレールアセンブリが構成されている。２軌道式のスライドレールアセンブリについては、当業者であれば分かる上、本考案の主な特徴でないため、詳細な説明や図示は省略する。
【００２７】
第１のブラケット３０は、第１の軌道部材１０の第１の端部と強固に接続され、第１の支持部材３２および第１の位置決め部材３９を含む。第１の支持部材３２は、第２の軌道部材２０のベース部２４に対応し、第１の接続部３４と、第２の接続部３６と、第１の接続部３４と第２の接続部３６との間に設けられた開孔部３８と、を含む。
【００２８】
第２のブラケット３０ａは、第１の軌道部材１０の第２の端部へ強固に接続され、第２の支持部材３２ａおよび第２の位置決め部材３９ａを含む。第２の支持部材３２ａは、第１の接続部３４ａおよび第２の接続部３６ａを含む。
【００２９】
係合アセンブリ４は、係合部材４０、枢着部材５０、操作部材６０および弾性部材７０を含む。係合部材４０は、平面状の係合面４４と、係合面４４の縁部に隣接した案内面４６と、を有するフック状の係合部４２を含む。この係合部４２は、第１のブラケット３０の開孔部３８に対応した箇所に設けられている。操作部材６０は、係合部材４０に接続され、係合部材４０の変位を操作するために用いる。
【００３０】
図２を参照する。図２は、本考案の一実施形態による係合アセンブリ４を組み立てるときの状態を示す斜視図である。係合アセンブリ４の係合部材４０は、枢着部材５０により１組の枢着耳２６および弾性部材７０に枢着されて回転可能である。弾性部材７０は、係合部材４０へ弾性力を付与する。本実施形態では、弾性部材７０は、第２の軌道部材２０のベース部２４の１組の枢着耳２６間に配置されたトーションバネである。
【００３１】
図３を参照する。図３は、本考案の一実施形態によるスライドレールアセンブリ２を用いて組立を行うときの状態を示す斜視図である。図３に示すように、ラック（ｒａｃｋ）８０へスライドレールアセンブリ２を装着させる。一般に、ラック８０の側面の１つには、スライドレールアセンブリ２を取り付けることができるように、前後に所定の間隔で配置された第１の枠体８２ａおよび第２の枠体８２ｂが設けられている。本実施形態のラック８０の第１の枠体８２ａおよび第２の枠体８２ｂには、複数の貫通孔（第１の貫通孔８４ａ、第２の貫通孔８４ｂおよび第３の貫通孔８４ｃ）が設けられている。スライドレールアセンブリ２の第１の軌道部材１０の前後に位置する両端部には、第１のブラケット３０および第２のブラケット３０ａがそれぞれ強固に設けられている。第１のブラケット３０の第１の接続部３４および第２の接続部３６は、それぞれラック８０の第１の枠体８２ａの第１の貫通孔８４ａおよび第３の貫通孔８４ｃに対応した箇所に設けられている。第２のブラケット３０ａの第１の接続部３４ａおよび第２の接続部３６ａは、ラック８０の第２の枠体８２ｂの第１の貫通孔８４ａおよび第３の貫通孔８４ｃにそれぞれ対応した箇所に設けられている。
【００３２】
図４を参照する。図４は、本考案の一実施形態によるスライドレールアセンブリ２を組み立てるときの状態を示す斜視図である。本実施形態では、ラック８０の第２の枠体８２ｂに第２のブラケット３０ａを取り付けて固定させる際、ラック８０の第２の枠体８２ｂの第１の貫通孔８４ａおよび第３の貫通孔８４ｃに、第２のブラケット３０ａの第１の接続部３４ａおよび第２の接続部３６ａを貫設させ、第２の位置決め部材３９ａにより第２のブラケット３０ａをラック８０の第２の枠体８２ｂに当接させる。ラック８０の第１の枠体８２ａに第１のブラケット３０を取り付けて固定させる際、第１のラック８０の第１の枠体８２ａの第１の貫通孔８４ａおよび第３の貫通孔８４ｃに、第１のブラケット３０の第１の接続部３４および第２の接続部３６が貫設され、第１の位置決め部材３９により第１のブラケット３０をラック８０の第１の枠体８２ａに当接させる。さらに、スライドレールアセンブリ２の第２の軌道部材２０が完全に入れられると、ラック８０の対応した箇所に設けられた第２の貫通孔８４ｂに、係合部材４０の係合部４２が係合される。
【００３３】
図５および図６を参照する。図５および図６は、本考案の一実施形態によるスライドレールアセンブリ２が係合されるときの状態を示す断面図である。ロックする際は、第１の軌道部材１０の方向へ第２の軌道部材２０を移動させ、第１のブラケット３０の開孔部３８へ係合部材４０を貫通させ、ラック８０の第１の枠体８２ａの第２の貫通孔８４ｂに接触する。続いて、係合部材４０の案内面４６が、第２の貫通孔８４ｂに接触しながら移動すると、案内面４６により、係合部材４０が変位移動するとともに、弾性部材７０へ反対方向の作用力を付与する。第２の軌道部材２０が第１の軌道部材１０の方向へさらに移動されて収納されると、係合部材４０の係合部４２が第２の貫通孔８４ｂに係合され、弾性部材７０が係合部材４０に弾性力を付与し、第２の貫通孔８４ｂの周囲の面部に、係合部材４０の係合面４４が当接されて固定される。
【００３４】
図７を参照する。図７は、本考案の一実施形態によるスライドレールアセンブリ２を外すときの状態を示す断面図である。ユーザは、操作部材６０の操作により、係合部材４０の係合部４２を動かして回転移動させ、第２の貫通孔８４ｂの周囲の面部に当接した状態から離脱させ、第１の軌道部材１０から第２の軌道部材２０を延伸させて変位させる。
【００３５】
図８を参照する。図８は、本考案の他の実施形態によるスライドレールアセンブリ２を用いるときの状態を示す断面図である。図８に示すように、この構造および接続関係は、上述の実施形態と同じである。本実施形態は、複数の枠体、複数組のスライドレールアセンブリ２、複数組の係合アセンブリ４、少なくとも１つのシャーシ（ｃｈａｓｓｉｓ）８６を含む。
【００３６】
本考案の他の実施形態による複数の枠体は、第１の枠体８２ａ、第２の枠体８２ｂ、第３の枠体８２ｃおよび第４の枠体８２ｄを含む。複数組の枠体８２ａ、８２ｂまたは枠体８２ｃ、８２ｄを配置する際、各１組の枠体８２ａ、８２ｂまたは枠体８２ｃ、８２ｄは、所定の距離で配置され、複数の貫通孔が設けられ、所定の空間サイズ（例えば、方形空間など）を有するラック８０を構成する。
【００３７】
複数組のスライドレールアセンブリ２は、ラック８０の各１組の枠体８２ａ、８２ｂまたは枠体８２ｃ、８２ｄにそれぞれ取り付けられた各スライドレールアセンブリ２の第１のブラケット３０および第２のブラケット３０ａを有し、水平面の支持態様が構成されている。
【００３８】
複数組の係合アセンブリ４（上述の実施形態と同様の構成である）は、弾性部材７０と、弾性部材７０により弾性力が付与され、ラック８０の貫通孔内に貫設して固定させる係合部材４０と、をそれぞれ含む。
【００３９】
少なくとも１つのシャーシ（ｃｈａｓｓｉｓ）８６は、対応した両側にそれぞれ接続された上述のスライドレールアセンブリ２により移動される。本実施形態のシャーシは、サーバまたは電子機器でもよい。
【００４０】
上述のスライドレールアセンブリ２の構成により、ラック８０からシャーシ８６を出したり、押し入れて収納し、固定したりすることができる。上述したように、本考案の構造は、元からあるシャーシおよびシャーシ上のハンドルの態様に制限されることがないとともに、フレーム内にシャーシを押し入れて収納した後、位置合わせを行うことができる。さらに、スライドレールが接続されているブラケットへ他の構造を付加し、係合部材で係合させる必要がない。
【００４１】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００４２】
２        スライドレールアセンブリ
４        係合アセンブリ
１０      第１の軌道部材
１２      第３の軌道部材
２０      第２の軌道部材
２２      端部
２４      ベース部
２６      枢着耳
３０      第１のブラケット
３０ａ    第２のブラケット
３２      第１の支持部材
３２ａ    第２の支持部材
３４      第１の接続部
３４ａ    第１の接続部
３６      第２の接続部
３６ａ    第２の接続部
３８      開孔部
３９      第１の位置決め部材
３９ａ    第２の位置決め部材
４０      係合部材
４２      係合部
４４      係合面
４６      案内面
５０      枢着部材
６０      操作部材
７０      弾性部材
８０      ラック
８２ａ    第１の枠体
８２ｂ    第２の枠体
８２ｃ    第３の枠体
８２ｄ    第４の枠体
８４ａ    第１の貫通孔
８４ｂ    第２の貫通孔
８４ｃ    第３の貫通孔
８６      シャーシ
【図１】
0003153485.tif 000003
【図２】
0003153485.tif 000004
【図３】
0003153485.tif 000005
【図４】
0003153485.tif 000006
【図５】
0003153485.tif 000007
【図６】
0003153485.tif 000008
【図７】
0003153485.tif 000009
【図８】
0003153485.tif 000010
【手続補正書】
【提出日】平成21年6月15日(2009.6.15)
【手続補正１】
【補正対象書類名】実用新案登録請求の範囲
【補正対象項目名】全文
【補正方法】変更
【補正の内容】
【実用新案登録請求の範囲】
【請求項１】
複数の貫通孔がそれぞれ設けられた少なくとも２つの枠体を備えるラックに用いるスライドレールアセンブリであって、前記スライドレールアセンブリは、
第１の端部と、前記第１の端部に対応した第２の端部と、を有する第１の軌道部材と、
前記第１の軌道部材と摺動可能に接続され、略垂直に設けられたベース部を有する第２の軌道部材と、
前記第１の軌道部材の前記第１の端部と強固に接続され、前記第２の軌道部材の前記ベース部に対応し、開孔部が設けられた第１の支持部材を有する第１のブラケットと、
前記第２の軌道部材の前記ベース部へ枢着され、前記第１のブラケットの前記開孔部に対応し、係合面を有する係合部材と、
前記係合部材に接続され、前記係合部材の変位操作が可能な操作部材と、
前記係合部材へ弾性力を付与する弾性部材と、を備え、
前記ラックの前記枠体上へ前記第１のブラケットを装着した後、前記第１の軌道部材に前記第２の軌道部材を入れるとき、前記第１のブラケットの前記開孔部と、前記枠体の前記複数の貫通孔のうちの１つの貫通孔と、へ前記係合部材の係合部を貫設し、前記枠体の前記貫通孔の周囲の面部に、前記係合部材の前記係合面を当接させて固定することを特徴とする、ラックに用いるスライドレールアセンブリ。
【請求項２】
前記第１のブラケットは、前記枠体の前記複数の貫通孔のうちの２つの貫通孔に接続させることが可能な第１の接続部および第２の接続部を有することを特徴とする、請求項１に記載のラックに用いるスライドレールアセンブリ。
【請求項３】
前記係合面は平面であり、
前記係合部材は、前記係合面の縁部に隣接した案内面を有することを特徴とする、請求項１に記載のラックに用いるスライドレールアセンブリ。
【請求項４】
前記第１の軌道部材の前記第２の端部へ強固に接続され、前記枠体の前記複数の貫通孔のうちの２つの貫通孔に接続させることが可能な第１の接続部および第２の接続部を有する第２の支持部材を有する第２のブラケットをさらに備えることを特徴とする、請求項１に記載のラックに用いるスライドレールアセンブリ。
【請求項５】
前記ベース部は、前記第２の軌道部材の端部が延伸されて形成されることを特徴とする、請求項１に記載のラックに用いるスライドレールアセンブリ。
【請求項６】
第１の端部と、前記第１の端部に対応した第２の端部と、を有する第１の軌道部材と、
前記第１の軌道部材と摺動可能に接続され、略垂直に設けられたベース部を有する第２の軌道部材と、
前記第１の軌道部材の前記第１の端部と強固に接続され、前記第２の軌道部材の前記ベース部に対応し、開孔部が設けられた第１の支持部材を有する第１のブラケットと、
前記第２の軌道部材の前記ベース部へ枢着され、前記第１のブラケットの前記開孔部に対応し、係合面を有する係合部を有する係合部材と、
前記係合部材に接続され、前記係合部材の変位操作が可能な操作部材と、
前記係合部材へ弾性力を付与する弾性部材と、を備えることを特徴とする、スライドレールアセンブリ。
【請求項７】
前記第１の軌道部材の前記第２の端部へ強固に接続され、第１の接続部および第２の接続部を有する第２の支持部材を有する第２のブラケットをさらに備えることを特徴とする、請求項６に記載のラックに用いるスライドレールアセンブリ。
【請求項８】
前記係合面は平面であり、
前記係合部材は、前記係合面の縁部に隣接した案内面を有することを特徴とする、請求項６に記載のラックに用いるスライドレールアセンブリ。
【請求項９】
前記ベース部は、前記第２の軌道部材の端部を延伸して形成することを特徴とする、請求項６に記載のラックに用いるスライドレールアセンブリ。
【請求項１０】
複数の貫通孔をそれぞれ有し、所定のサイズ空間のラックを構成する複数組の枠体と、
第１の端部と、前記第１の端部に対応した第２の端部とを有する第１の軌道部材と、略垂直に設けられたベース部を有し、前記第１の軌道部材と摺動可能に接続された第２の軌道部材と、前記第１の軌道部材の前記第１の端部および前記第２の端部へ強固に接続された第１のブラケットおよび第２のブラケットと、をそれぞれ有する複数組のスライドレールアセンブリと、
前記ベース部に枢着された係合部材をそれぞれ有する複数の係合アセンブリと、
前記スライドレールアセンブリとそれぞれ接続された対応した両側を有し、前記スライドレールアセンブリにより変位される少なくとも１つのシャーシと、を備え、
前記各スライドレールアセンブリの前記第１のブラケットおよび前記第２のブラケットは、前記ラックの各１組の前記枠体へそれぞれ装着され、
前記第１のブラケットは、開孔部が設けられ、前記ベース部に対応した第１の支持部材を有し、
前記係合部材は、前記第１のブラケットの前記開孔部に対応した係合部と、前記係合部材に接続され、前記係合部材の変位操作が可能な操作部材と、弾性力を付与する弾性部材と、を有し、
前記第１のブラケットの前記開孔部と、前記枠体の前記貫通孔と、へ前記係合部材の前記係合部を貫設し、前記枠体の前記貫通孔の周囲の面部へ前記係合部材の係合面を当接して固定させることを特徴とする、ラック装置。
【請求項１１】
前記第１のブラケットおよび前記第２のブラケットは、前記枠体の前記複数の貫通孔のうちの４つの貫通孔に接続することが可能な第１の接続部および第２の接続部を有することを特徴とする、請求項１０に記載のラック装置。
【請求項１２】
前記係合面は平面であり、
前記係合部材は、前記係合面の縁部に隣接した案内面を有することを特徴とする、請求項１０に記載のラック装置。
【手続補正書】
【提出日】平成21年7月7日(2009.7.7)
【手続補正１】
【補正対象書類名】実用新案登録請求の範囲
【補正対象項目名】全文
【補正方法】変更
【補正の内容】
【実用新案登録請求の範囲】
【請求項１】
複数の貫通孔がそれぞれ設けられた少なくとも２つの枠体を備えるラックに用いるスライドレールアセンブリであって、前記スライドレールアセンブリは、
第１の端部と、前記第１の端部に対応した第２の端部と、を有する第１の軌道部材と、
前記第１の軌道部材と摺動可能に接続され、略垂直に設けられたベース部を有する第２の軌道部材と、
前記第１の軌道部材の前記第１の端部と強固に接続され、前記第２の軌道部材の前記ベース部に対応し、開孔部が設けられた第１の支持部材を有する第１のブラケットと、
前記第２の軌道部材の前記ベース部へ枢着され、前記第１のブラケットの前記開孔部に対応し、係合面を有する係合部材と、
前記係合部材に接続され、前記係合部材の変位操作が可能な操作部材と、
前記係合部材へ弾性力を付与する弾性部材と、を備え、
前記ラックの前記枠体上へ前記第１のブラケットを装着した後、前記第１の軌道部材に前記第２の軌道部材を入れるとき、前記第１のブラケットの前記開孔部と、前記枠体の前記複数の貫通孔のうちの１つの貫通孔と、へ前記係合部材の係合部を貫設し、前記枠体の前記貫通孔の周囲の面部に、前記係合部材の前記係合面を当接させて固定することを特徴とする、ラックに用いるスライドレールアセンブリ。
【請求項２】
前記第１のブラケットは、前記枠体の前記複数の貫通孔のうちの２つの貫通孔に接続させることが可能な第１の接続部および第２の接続部を有することを特徴とする、請求項１に記載のラックに用いるスライドレールアセンブリ。
【請求項３】
前記係合面は平面であり、
前記係合部材は、前記係合面の縁部に隣接した案内面を有することを特徴とする、請求項１に記載のラックに用いるスライドレールアセンブリ。
【請求項４】
前記第１の軌道部材の前記第２の端部へ強固に接続され、前記枠体の前記複数の貫通孔のうちの２つの貫通孔に接続させることが可能な第１の接続部および第２の接続部を有する第２の支持部材を有する第２のブラケットをさらに備えることを特徴とする、請求項１に記載のラックに用いるスライドレールアセンブリ。
【請求項５】
前記ベース部は、前記第２の軌道部材の端部が延伸されて形成されることを特徴とする、請求項１に記載のラックに用いるスライドレールアセンブリ。
【請求項６】
第１の端部と、前記第１の端部に対応した第２の端部と、を有する第１の軌道部材と、
前記第１の軌道部材と摺動可能に接続され、略垂直に設けられたベース部を有する第２の軌道部材と、
前記第１の軌道部材の前記第１の端部と強固に接続され、前記第２の軌道部材の前記ベース部に対応し、開孔部が設けられた第１の支持部材を有する第１のブラケットと、
前記第２の軌道部材の前記ベース部へ枢着され、前記第１のブラケットの前記開孔部に対応し、係合面を有する係合部を有する係合部材と、
前記係合部材に接続され、前記係合部材の変位操作が可能な操作部材と、
前記係合部材へ弾性力を付与する弾性部材と、を備えることを特徴とする、スライドレールアセンブリ。
【請求項７】
前記第１の軌道部材の前記第２の端部へ強固に接続され、第１の接続部および第２の接続部を有する第２の支持部材を有する第２のブラケットをさらに備えることを特徴とする、請求項６に記載のスライドレールアセンブリ。
【請求項８】
前記係合面は平面であり、
前記係合部材は、前記係合面の縁部に隣接した案内面を有することを特徴とする、請求項６に記載のスライドレールアセンブリ。
【請求項９】
前記ベース部は、前記第２の軌道部材の端部を延伸して形成することを特徴とする、請求項６に記載のスライドレールアセンブリ。
【請求項１０】
複数の貫通孔をそれぞれ有し、所定のサイズ空間のラックを構成する複数組の枠体と、
第１の端部と、前記第１の端部に対応した第２の端部とを有する第１の軌道部材と、略垂直に設けられたベース部を有し、前記第１の軌道部材と摺動可能に接続された第２の軌道部材と、前記第１の軌道部材の前記第１の端部および前記第２の端部へ強固に接続された第１のブラケットおよび第２のブラケットと、をそれぞれ有する複数組のスライドレールアセンブリと、
前記ベース部に枢着された係合部材をそれぞれ有する複数の係合アセンブリと、
前記スライドレールアセンブリとそれぞれ接続された対応した両側を有し、前記スライドレールアセンブリにより変位される少なくとも１つのシャーシと、を備え、
前記各スライドレールアセンブリの前記第１のブラケットおよび前記第２のブラケットは、前記ラックの各１組の前記枠体へそれぞれ装着され、
前記第１のブラケットは、開孔部が設けられ、前記ベース部に対応した第１の支持部材を有し、
前記係合部材は、前記第１のブラケットの前記開孔部に対応した係合部と、前記係合部材に接続され、前記係合部材の変位操作が可能な操作部材と、弾性力を付与する弾性部材と、を有し、
前記第１のブラケットの前記開孔部と、前記枠体の前記貫通孔と、へ前記係合部材の前記係合部を貫設し、前記枠体の前記貫通孔の周囲の面部へ前記係合部材の係合面を当接して固定させることを特徴とする、ラック装置。
【請求項１１】
前記第１のブラケットおよび前記第２のブラケットは、前記枠体の前記複数の貫通孔のうちの４つの貫通孔に接続することが可能な第１の接続部および第２の接続部を有することを特徴とする、請求項１０に記載のラック装置。
【請求項１２】
前記係合面は平面であり、
前記係合部材は、前記係合面の縁部に隣接した案内面を有することを特徴とする、請求項１０に記載のラック装置。